(57)【要約】      （修正有）【課題】複数台のサーバーを用意せずとも、１台のサーバーで保管する飲料のボトル毎に、複数種類の温度設定が可能な飲料用のサーバーを提供する。【解決手段】飲料用の瓶１０を収納する収納部と接続部３１とを備え、接続部３１は瓶１０の内部に不活性ガスを導入するガス注入部２５及び瓶内部の飲料を外部に送り出す抽出部３２とを有する。このサーバーは互い独立した複数の冷却室１１を備え、これらの冷却室１１は異なる温度に設定された送風が可能な送風口３０を備え、各冷却室１１内に配置された飲料用の瓶１０内の飲料を異なる温度で保管することができる。【選択図】図１
0003217058.tif 000002
【実用新案登録請求の範囲】
【請求項１】
飲料用の瓶を収納する収納部と接続部とを備え、前記接続部は前記瓶の内部に不活性ガスを導入するガス注入部及び瓶内部の飲料を外部に送り出す抽出部とを有する飲料用のサーバーにおいて、
前記サーバーは互い独立した複数の冷却室を備え、
複数の前記冷却室は個別に温度に設定された送風が可能な送風口を備え、
各冷却室内に配置された飲料容器内の飲料を異なる温度で保管することができるように構成されたことを特徴とする飲料用のサーバー。
【請求項２】
複数の前記冷却室は境界壁で区切られており、
それぞれの前記冷却室は７５０ml入りのワインボトルを収納できるとともに、それぞれの前面が隣り合って開口しており、共通の扉を備え、前記扉が開閉されることによりそれぞれの前記冷却室の前面が一度に開閉可能であることを特徴とする請求項１記載の飲料用のサーバー。
【請求項３】
前記送風口に送風を行う冷却装置は圧縮放熱器と冷却器とを備え、
前記冷却器は各冷却室毎に設けられ、それぞれの前記冷却器が共通の圧縮放熱器に接続され、冷却器により冷却作用を行った冷媒が、圧縮放熱器のコンプレッサーで圧縮されるとともに放熱板で外気との熱交換が行われるように構成されたことを特徴とする請求項２記載の飲料用のサーバー。
【請求項４】
前記冷却室毎に、前記抽出部に接続された注ぎ出しノズルと前記送風口からの送風の温調操作部とを備えていることを特徴とする請求項３記載の飲料用のサーバー。
【考案の詳細な説明】
【技術分野】
【０００１】
本考案は、飲料水を瓶からグラスなどに注ぎ出すために用いるサーバーに関するものである。
【背景技術】
【０００２】
窒素などの不活性ガスをワインボトルなどの飲料容器に導入し、内部の飲料をグラスなどに注ぎ出すようにした飲料用サーバーは、特許文献１〜３に示すように種々提案されている。この種の飲料用サーバーはワインボトルを所定温度に冷却しておき、所定温度でワインを提供することができるものとして重宝されているし、複数本のワインボトルを保管することができるとともに、それぞれのワインボトルからワインを提供できるようにしているものも知られている。
ところが、一つの飲料用サーバーの設定温度は、そのサーバーに保管できるワインボトルの本数にかかわらず、１種類の温度設定しかすることができなかった。他方、赤ワインと白ワインに代表されるように、ワインはそれぞれの種類ごとに最適な温度がある。そのため最適な温度でそれぞれのワインを保管して提供するためには、複数台のサーバーが必要となっていた。
【先行技術文献】
【特許文献】
【０００３】
【特許文献１】特開窓２０１６−０７４４４号公報
【特許文献２】特開２０１２−１９７０８号公報
【特許文献３】特開２０１０−１８９０６７号公報
【考案の概要】
【考案が解決しようとする課題】
【０００４】
本考案は、複数台のサーバーを用意せずとも、1台のサーバーで保管する飲料のボトル毎に、複数種類の温度設定が可能な提供することを課題とする。
【課題を解決するための手段】
【０００５】
本考案は、飲料用の瓶を収納する収納部と接続部とを備え、前記接続部は前記瓶の内部に不活性ガスを導入するガス注入部及び瓶内部の飲料を外部に送り出す抽出部とを有する飲料用のサーバーにおいて、前記サーバーは互い独立した複数の冷却室を備え、複数の前記冷却室は異なる温度に設定された送風が可能な送風口を備え、各冷却室内に配置された飲料容器内の飲料を異なる温度で保管することができるように構成されたことを特徴とする飲料用のサーバーを提供することによって、上記の課題を解決する。
【考案の効果】
【０００６】
本考案は、複数台のサーバーを用意せずとも、1台のサーバーで保管する飲料のボトル毎に、複数種類の温度設定が可能な飲料用のサーバーを提供することができたものである。
【図面の簡単な説明】
【０００７】
【図１】本考案の実施の形態に係る飲料用のサーバーの正面図。
【図２】同飲料用のサーバーを側面から見た状態の内部構造の説明図。
【図３】同飲料用のサーバーの冷凍サイクルの回路説明図。
【考案を実施するための形態】
【０００８】
以下、図面に基づき本願考案の実施の形態を説明する。
この実施の形態に係るこの実施の形態に係るサーバーは、ケーシング１２の前面に開閉可能な扉１４を備える。ケーシング１２の内部は、ワインボトルを収納する冷却室１１が左右に一つずつ隣り合わせて配置されているともに、冷却室１１の後方などに装置空間２１が設けられている。
【０００９】
それぞれの冷却室１１は７５０ml入りのワインボトルを収納できるとともに、それぞれの前面が隣り合って開口している。これらの冷却室１１は境界壁１３で区切られており、それぞれの冷却室１１は、その前面が隣り合って開口しており、共通の１枚の扉１４が開閉されることにより、これらの冷却室１１の前面が一度に開閉可能である。
ケーシング１２本体における扉１４の上方には、操作部１５と注ぎ出しノズル１６とが、それぞれの冷却室１１毎に配置されている。操作部１５はタッチ式のスイッチで操作部１５を押すと冷却室１１に配置されたワインボトルの中のワインが、注ぎ出しノズル１６から注ぎ出される。
装置空間２１には、冷却室１１の内部を冷却する冷却装置２２が配置される。窒素ガスなどガスボンベ２３は、ケーシング１２の後部上方など、装置空間２１に配置するようにして実施されている。
【００１０】
それぞれの冷却室１１の内部天上面１８には、接続部３１が設けられるとともに、冷却室１１の内部床面１９にワインボトル１０が立てられる。立てられたワインボトル１０に接続部３１を装着することが可能な大きさに、冷却室１１の大きさが設定されている。
この実施の形態に示す扉１４には、二つの冷却室１１に対応するもので、２本のワインボトル１０のラベルが外から見ることができるように、透明ガラスなどの透明板をはめた窓２０が設けられている。窓２０の大きさは、二つの冷却室１１のワインボトル１０のほぼ全高が見ることができるようなものであることが最も好ましいが、少なくとも下半分などワインボトル１０の胴体のラベルが外から見ることができるような大きさで実施することが好ましい。
【００１１】
この実施の形態に係るワインボトル用サーバーでは、２本のワインボトル１０が二つの冷却室１１に配置できるようになされたもので、操作部１５と前記注ぎ出しノズル１６と接続部３１も２組が用意されているが、さらに多くの本数に対応するものであっても構わない。
【００１２】
接続部３１には、瓶の口に対して着脱可能なガス注入部２５及び瓶内部の飲料を外部に送り出す抽出部３２とが、下向きに設けられている。ガス注入部２５及び抽出部３２は、ガス用挿入チュ−ブ２９と液用挿入チュ−ブ３４を備え、接続部３１は、ラバー製など弾性を有する素材で構成されており、ガス用挿入チュ−ブ２９と液用挿入チュ−ブ３４に対する気密性を保った状態で、スライド可能である。
そして、ガス用挿入チュ−ブ２９と液用挿入チュ−ブ３４をワインボトル１０の中に挿入した状態で、接続部３１をワインボトル１０の口に気密性を保った状態で装着することができる。なおガス用挿入チュ−ブ２９と液用挿入チュ−ブ３４は、可撓性を有するものであることが好ましく、口の開いたワインボトル１０を少し斜めにしてガス用挿入チュ−ブ２９と液用挿入チュ−ブ３４を挿入し、接続部３１をワインボトル１０の口に装着するようにして実施することができる。
液用挿入チューブ３４はガス用挿入チューブ２９よりも長いものであり、接続部３１をワインボトル１０の口に装着した状態において、液用挿入チューブ３４はワインボトル１０の底付近に到達するのに対してガス用挿入チューブ２９はワインボトル１０の液面よりも上方に位置しているように、接続部３１を両チューブ２９、３４に対してスライドさせることができる。
【００１３】
ガス注入部２５とガスボンベ２３とはパイプやチューブなどのガス流路２７によって接続され、これらのガス流路２７には電磁バルブなどのガス用バルブ２８が設けられている。また、抽出部３２と注ぎ出しノズル１６とはパイプやチューブなどの液体流路３３によって接続され、これらの液体流路３３には電磁バルブなどの液用バルブ３５が設けられている。
【００１４】
操作部１５は、ガス用バルブ２８と液用バルブ３５を開閉するスイッチであり、この例では操作部１５を押すことによってガス用バルブ２８と液用バルブ３５が開き、ワインボトル１０の中にガスボンベ２３から不活性ガスが導入され、ワインボトル１０の中のワインが、抽出部３２から液体流路３３を通って、注ぎ出しノズル１６から外部に流出する。
【００１５】
操作部１５は、操作部１５から手を離すことによって、ガス用バルブ２８と液用バルブ３５が閉じてワインの注ぎ出しが止まるようにしておいても構わないし、あらかじめ一回あたりの注出量を設定しておき、操作部１５を１回押すだけで所定の抽出量の抽出が完了した段階で自動的にガス用バルブ２８と液用バルブ３５が閉じてワインの注ぎ出しが止まるようにしておいても構わないし、これら２つの操作方法を切り替え可能に実施しても構わない。
【００１６】
冷却装置２２は冷媒を用いた冷凍サイクルを構成する冷却器４１と圧縮放熱器４２とを備える。
冷却器４１は各冷却室１１毎に設けられ、冷却室１１の壁面に設けられた送風口３０からファンなどによって冷気が冷却室１１の内部に導入されて、それぞれの設定温度に冷却室１１内の温度を維持する。なお、冷却装置２２は、この例の他、種々の冷凍サイクルの形式に変更して実施することができる他、ペルチェ素子を用いた冷却装置に変更して実施しても構わない。
図３に示すように、それぞれの冷却器４１の冷媒配管は、バルブなどの合流部４７で合流し、圧縮放熱器４２のコンプレッサー４３から、放熱板４５を備えた放熱器４４で熱交換され、バルブなどの分配部４８からキャピラリーチューブ４６を経て、それぞれの冷却器４１に戻される。
ケーシング１２本体における各扉１４の上方には、冷却室１１毎に冷却装置２２の設定温度の変更やオンオフを切り替えるデジタル表示を備えたタッチボタン式の温調操作部２４が設けられている。温調操作部２４の操作によって、それぞれの冷却器４１における熱交換条件などを調整して、各冷却室１１毎に個別の温度調整された送風をなすことができる。
【００１７】
従ってワインボトル１０内のワインは、ワインの残量の多少にかかわらず、常に一定温度に保たれた環境内で、空気に触れることなく保管されるものであり、極めて良好な状態が常に維持され、操作部１５を操作するだけで、必要量を注ぎ出しノズル１６から注ぎ出すことができる。したがってワインボトルに入ったワインを最高の状態で熟練を要することなく一定量ずつ提供することができることはもちろん、例えば１３℃が適温の赤ワインや７℃が適温の白ワインなど、それぞれのワインの種類や銘柄に応じた最適温度で保管されて、提供することができるものである。なお、このサーバーに収納する飲料はワインに限るものではない。
【符号の説明】
【００１８】
１０  ワインボトル
１１  冷却室
１３  境界壁
１２  ケーシング
１４  扉
１５  操作部
１６  注ぎ出しノズル
１８  内部天上面
１９  内部床面
２０  窓
２１  装置空間
２２  冷却装置
２３  ガスボンベ
２４  温調操作部
２５  ガス注入部
２７  ガス流路
２８  ガス用バルブ
２９  ガス用挿入チュ−ブ
３０  送風口
３１  接続部
３２  抽出部
３３  液体流路
３４  液用挿入チュ−ブ
３５  液用バルブ
４１  冷却器
４２  圧縮放熱器
４３  コンプレッサー
４４  放熱器
４５  放熱板
４６  キャピラリーチューブ
４７  合流部
４８  分配部
【図１】
0003217058.tif 000003
【図２】
0003217058.tif 000004
【図３】
0003217058.tif 000005